【事件の表示】
　特願２００７−５０５１２３「空間光変調（ＳＬＭ）ディスプレイシステムにより与えられる画像を改善する方法及び装置」拒絶査定不服審判事件〔平成１７年１０月　６日国際公開、ＷＯ２００５／０９４０７１、平成１９年１１月　１日国内公表、特表２００７−５３１４０７〕について、次のとおり審決する。
【結　論】
　本件審判の請求は、成り立たない。
【理　由】
第１　経緯  
１．手続　
　本願は、平成１７年３月２２日（優先権主張２００４年３月２２日、米国）を国際出願日とする出願であって、手続の概要は以下のとおりである。
　
拒絶理由通知　　　　　　　　：平成２２年１１月１６日（起案日）
手続補正　　　　　　　　　　：平成２３年　５月２４日
拒絶理由通知　　　　　　　　：平成２４年　２月２９日（起案日）
手続補正　　　　　　　　　　：平成２４年　９月１１日
拒絶査定　　　　　　　　　　：平成２５年　３月１３日（起案日）
拒絶査定不服審判請求　　　　：平成２５年　７月１８日
　
２．査定
　原審での査定の理由は、概略、以下のとおりである。
　本願の請求項１、請求項２、請求項９に係る発明は、下記刊行物に記載された発明および周知技術に基づいて当業者が容易に発明をすることができたものであるから、特許法第２９条第２項の規定により、特許を受けることができない。
　　　　　記　
刊行物１：特開平１１−２９８８２９号公報
刊行物２：特開２００３−２５９２５５号公報
刊行物３：特開２００１−０７５５４７号公報
（刊行物２、刊行物３は本願出願前周知の技術事項を示す文献として拒絶査定時に追加）
　
第２　本願発明
　本願の請求項１に係る発明（以下「本願発明」という。）は、平成２４年９月１１日付け手続補正書の特許請求の範囲の請求項１に記載された事項により特定される次のとおりのものである。
　
　　【請求項１】
　空間光変調（ＳＬＭ）要素を用いて、表示システムにより与えられる画像において歪みを低減する方法であって、
　表示される画像の画素に対応する画素値の集合を与える段階であって、前記集合を構成する画素値の数は有効なＳＬＭ要素の数より多い、段階、
　調整画素値の集合を与えるように前記画素値の少なくとも一部を調整する段階、
　前記の調整画素値の集合から少なくとも第１画素集合及び第２画素集合を生成する段階、並びに
　前記第１画素集合及び前記第２画素集合を有する画素のマトリクスとして前記画像を表示する段階であって、前記マトリクスの画素の数は前記ＳＬＭ要素の数より多く、そして前記第１画素集合の画素の少なくとも１つは前記第２画素集合の画素の少なくとも１つと重なり合う、段階、
　を有する方法であり、
　前記調整する段階は、前記マトリクスにおいて重なり合う画素の輝度の強さの寄与を補償するように前記の画素値の集合の画素値を調整することにより実行される、
　方法。
　
第３　刊行物１に記載された発明
１．刊行物１の記載
　
　原査定の拒絶の理由に引用され、本願の優先日（２００４年３月２２日）前に頒布された刊行物である特開平１１−２９８８２９号公報（以下「刊行物１」という。）には、図面とともに、次の事項が記載されている。
　
【０００１】
【発明の属する技術分野】この発明は、テレビジョン受信装置などに用いられる表示装置に関するもので、特に空間光変調素子及び装置全体の価格低減に有効となる。
【０００２】
【従来の技術】図２１には、例えば液晶表示器を用いた従来の画像表示器の例を示している。この画像表示器１０は、２次元配列された画素によって構成されるものとする。この画像表示器１０をインターレース走査方式で駆動し、映像表示する場合、第１のフィールドでは、図２１（Ａ）に示すように隣接する上下の２ラインの画素にａ，ａといった同一の信号を映像として表示させる。第２フィールドでは図２１（Ｂ）に示すように第１フィールドとは１ラインずれた位置の隣接する上下の２ラインにａ  ，ａ  といった同一の信号を映像表示させる。このような繰り返しによりインターレース走査による映像表示が実現される。すなわち、この画像表示器１０は、画素数としては１フレーム分の画素をもっていながら、フィールド毎には１フィールド分の画素表示しか行っていない。例えば、高品位画質を実現するハイディフィニションテレビ（ＨＤＴＶ）ではフレーム画像として水平画素数１９２０，垂直画素数１０８０に規格化されており、約２００万画素が必要である。
【０００３】しかしながら、フィールド毎に見れば隣接する上下の２ラインで同一画素信号の表示を行っているために等価的には１００万画素分しか表示に寄与しておらず、極めて効率が悪い。
【０００４】
【発明が解決しようとする課題】上記した従来例では以下の問題点がある。即ち、インターレース走査による映像表示環境において、フィールド毎に見れば１フレームの半分の画素信号しか表示に寄与していないにもかかわらず、空間光変調素子としては１フレーム分の画素数を持たなくてはならないという問題がある。そこでこの発明は、空間光変調素子の画素数を大幅に削減しながら、従来の表示装置と同一な表示性能を得る表示装置を提供することを目的とする。
【０００５】
【課題を解決するための手段】この発明は上記の目的を達成するために、フレーム画素より大きな画素で構成される空間光変調素子に対して、その光学系制御手段としてフィールド毎にフレーム画素の大きさ分の光学的シフトを得る手段を組み合わせるようにしている。
【０００６】光学的シフトを得る手段としては、垂直方向にフレーム画素の大きさ分シフトする手段と、垂直および水平に各々フレーム画素の大きさ分シフトする手段がある。また、特に後者の表示手段ににおいては、折り返しひずみ（エイリアシング）の防止および鮮鋭度改善の手段も提供するものである。
【０００７】上記の手段では、フィールド毎に垂直方向にフレーム画素の大きさ分、光学的シフトを行う場合、従来と同一な表示性能を得る場合、従来の空間光変調素子と比較して空間光変調素子の画素数を１／２に削減できる。また、垂直および水平に各々フレーム画素の大きさ分、光学的シフトを得る場合は、従来の装置と同じ表示性能を得る場合でも、従来の空間光変調素子と比較して空間光変調素子の画素数を１／４に削減できる。
　
【０００８】
【発明の実施の形態】以下、この発明の実施の形態を図面を参照して説明する。以下の実施の形態では空間光変調素子として透過型液晶パネルとして説明するが、反射型液晶パネルあるいはデジタル・マイクロミラー・ディバイス等の画素を持つ空間光変調素子であれば、全く同様に構成できる。
【０００９】図１に第１の実施の形態を示す。空間光変調素子１３と投射レンズ１５の間に平板プリズム１４を光軸法線に対して斜めに挿入し、フィールド毎にフレーム画素の大きさの光軸シフトを行う装置である。
【００１０】照明系１２の出力光は空間光変調素子１３（一例として透過型液晶パネルを用いた構成図としてある）に入力される。空間光変調素子３は多数の画素からなっている。例えば、横（水平）ｐ個、縦（垂直）ｑ個、合計ｐ×ｑ個の画素からなっており、各々の画素は別途供給される画像信号に応じて光を変調する。画像信号発生器１１から画像信号を受けて空間光変調素子１３は照明系１２の出力光を画像信号に応じて光変調し出力する。
【００１１】平板プリズム１４Ａは光軸の法面４ａと角度θで設置されている。平板プリズム１４Ａは後述するように光軸を平行シフトする機能をもっている。空間光変調素子１３の光出力は光軸を平行シフトさせる平板プリズム１４Ａを通り、投射レンズ１５で拡大されスクリーン１６に投射される。光軸平行シフト量制御部１７は平板プリズム１４Ａの傾きを制御し、光軸シフト量Δを制御する。光軸平行シフト量制御部１７は、画像信号発生器１１から同期信号を受けて、フィールド毎に光軸シフト量ΔをΔ１、Δ２に可変することができる。したがって、スクリーン１６に投射された空間光変調素子１３の各々の表示画素は、フィールド毎に光学的シフトされて表示される。
【００１２】平板プリズム１４Ａの光軸との法線４ａとの設置角度θの調整機構を持つことにより、スクリーン１６に投射されるフィールド毎の空間光変調素子１３の各表示画素の投射位置を調整できる。
　
【００２６】図１０（Ａ）は平板プリズム１４を垂直方向へ光軸の法線に対して角度θ１傾斜させ、図１０（Ｂ）は同時に水平方向へ光軸の法線に対して角度θ２傾斜させた例を示している。つまり、垂直方向に垂直フレーム画素の大きさ分Δ１、水平方向に水平フレーム画素の大きさ分Δ２の光軸シフトが起きるように光軸との法面に各々角度θ１、θ２で設置する。
【００２７】空間光変調素子（画像変調器）１３の画素が正方形であれば、θ１＝θ２＝θであり、水平、垂直ともに同じ角度で斜めになるように平板プリズム１４が設置される。このとき、スクリーン１６上には、図１１に示すように、第１フィールドでは実線で示す画素で中心が黒丸位置、第２フィールドでは破線で示す画素で中心が黒三角位置となり表示される。水平−垂直平面において、黒丸、黒三角は、市松模様（クインカンクス）に配置される。また、垂直−時間（フィールド方向）平面においても、黒丸、黒三角は、市松模様（クインカンクス）に配置される。
【００２８】このような画素表示における表現能力を考察するには３次元空間周波数領域を用いると判りやすい。図１２にＨＤＴＶの場合を例にした３次元空間周波数領域の表示をする。図１２（Ａ）に水平空間周波数ｆｘ（ＴＶＬ）（ＴＶＬ：テレビ本）、垂直空間周波数ｆｙ（ＴＶＬ）を示す。直流成分、つまり白丸印の位置（０（ＴＶＬ），０（ＴＶＬ））（以下（０，０）と記す）の成分が水平垂直空間周波数の高域、つまり白丸印の位置（１９２０，１０８０）に折り返して現れ歪みとなる。
【００２９】逆に、折り返し歪みが発生しないのは斜線で示した三角形領域になる。水平、垂直解像度は変わらないが、斜め解像度が劣化する。しかしながら、視覚特性上斜め解像度の劣化は画質の劣化を感じにくく実用上ほとんど問題がない。
【００３０】この折り返し成分は図１２（Ｂ）に示すように時間（フィールド）方向空間周波数ｆｔにおいて３０Ｈｚの成分をもつ。従って折り返しは（１９２０（ＴＶＬ），１０８０（ＴＶＬ），３０（Ｈｚ））の折り返し成分を持つことになる。これは次のことを意味している。水平あるいは垂直の空間周波数高域に成分を持つ画像に対して水平あるいは垂直の低域成分が折り返し（又は逆方向へ高域から低域へ折り返し）、同時に時間方向空間周波数に３０Ｈｚの成分をもつ折り返し歪み（エイリアシング）となることを示している。また、時間方向空間周波数３０Ｈｚ付近の成分を持つような動きの早い画像では、動きの成分が水平および垂直の空間周波数の高域への折り返し歪みとなって現れる。
【００３１】次に、上記のような折り返し成分により画像品位が劣化するのを防止する手段について説明する。この手段は、空間光変調素子１３に供給される信号系統（映像信号発生部１１）において対策が施されている。
【００３２】以下に述べる方法は、本発明の平板プリズムによる画素ずらしに限定されるものではなく、何らかの手法でフィールド毎に画素ずらしを行う表示装置に適用できるものである。
【００３３】図１３には、画素表示をする場合、空間光変調素子１３をドライブする信号を生成処理する回路の構成例示す。入力端７１にインターレース信号が入力され、インターレース・プログレッシブ（ｉ→ｐ）変換器７３でプログレッシブ信号に変換され、プログレッシブ信号は、切り替えスイッチ７４の一方の端子に供給される。入力端７２にはプログレッシブ信号が入力され切り替えスイッチ７４の他の端子に供給される。切返スイッチ７４では、どちらかの信号が選択され、アンチエリアシングフィルタ７５に供給される。このアンチエリアシングフィルタ７５は、図１２（Ａ）に示した特性図の水平・垂直高域の折り返し点（白丸位置）にヌル点をもち、斜線部の三角領域を通過領域にもつ２次元ＬＰＦ（低域通過フィル）として機能する。このアンチエイリアシングフィルタ７５の目的は、図１２（Ａ）の斜線部の三角領域内に画像信号を帯域制限して、後段に設けられるデシメーションフィルタ７７による画素サンプル間引き後において、斜線三角領域へ折り返し成分が混入し、いわゆる折り返し歪みが発生するのを防止するものである。
【００３４】図１３ではアンチエイリアシングフィルタ７５の後にエンハンサ７６が接続され、その後デシメーションフィルタ７７が接続された構成になっているが、エンハンサ７６は信号経路のどこに入れてもよい。エンハンサ７６については後述することとし、デシメーションフィルタ７７の動作を先に説明する。
【００３５】デシメーションフィルタ７７は水平方向の走査ライン内では１画素おきに間引きを行い、フィールド間では画素の間引き位置が１画素ずれるように間引きを行い、フレーム画素数を１／４の画素数にする。したがって、信号の画素サンプル構造を見ると、プログレッシブ信号であるうちはフレーム画素数ＰＮであったものがデシメーションフィルタ７７で処理されることによりフレーム画素数が１／４、つまりＰＮ／４に減じられ、この画素数の信号が空間光変調素子１３をドライブすることになる。
【００３６】デシメーションフィルタ７７で画像サンプルが間引きされた結果、図１２の白丸で示す点に、折り返しポイントが生じ、ここに直流成分が現れる。従って、この信号を走査型のブラウン管等で表示すると折り返し成分も見えてしまい著しく画質が損なわれる。
【００３７】同様に画素表示型の表示器、つまり空間光変調素子１３においても、フレーム画素の大きさを持つものでは、同様に折り返し成分が見えて画質を著しく損なう。
【００３８】図１１に示したような表示画素の配列が行われる場合、上記の間引きが行われているために、当該表示画素はフレーム画素に対して垂直、水平ともに２倍の大きさをもつ画素となり、図１４の実線に垂直特性を示すようにコサイン（ＣＯＳ）特性で高域が低下し鮮鋭感が劣化する。水平についても同様な先鋭感の劣化が生じる。水平−垂直空間周波数領域で表現すれば、図１５のようになる。すなわち、間引きが行われた結果、図１１の表示画素の大きさは、フレーム画素に対して縦横ともに２倍の大きさをもつために、斜め高域成分を抑圧する空間ローパスフィルタリングされていることになる。図１１は、縦横ともに２倍の例であるが、２倍に満たなくてもフレーム画素よりも大きく表示画素を設定することで特性は変わるものの同様な空間ローパスフィルタとして動作する。
【００３９】図１のような投射型ではスクリーン１６上での画素の大きさが問題になるので、投射レンズ１５によるフォーカス特性も含めて考慮する必要がある。すなわち、表示画素の大きさがフレームで定義される画素寸法よりも大きいことが空間ローパスフィルタリングされる条件である。
【００４０】一方、図１５から明かなように、表示空間周波数特性が高域で低下するために先鋭感が低下するという問題が発生する。そこで、斜め高域成分（水平・垂直ともに高域）を強調すると、折り返し成分の漏れ込み（エイリアシング）が増加する。
【００４１】従って、この発明では、図１６の斜線部領域Ａの成分を強調した垂直エンハンスと斜線部領域Ｂの成分を強調した水平エンハンスとを組み合わせた特性をもつエンハンサ７６を使用している。これにより、斜め高域成分をローパスフィルタリングし、これを行っても、表示空間周波数特性上で高域が低下し先鋭感が低下するという問題を改善している。
【００４２】図１７にエンファシス回路７６の構成例を示す。入力端子８０を介してインターレース信号が垂直低域通過フィルタ（Ｖ−ＬＰＦ）８１に供給される。この垂直低域通過フィルタ８１の出力は垂直低域信号となる。垂直低域通過フィルタ８１の入力側の信号と、出力側の信号とは、差分器８３に入力され、ここで得られた差信号は、垂直高域信号となる。一方、垂直低域通過フィルタ８１から出力された垂直低域信号は水平エンハンサ８３で水平高域が強調される。強調度は係数ＫＨで設定される。
【００４３】差分器８３から出力された垂直高域信号は、水平低域通過フィルタ（Ｈ−ＬＰＦ）８５で水平方向の低域に帯域制限された後、乗算器８６で強調される。強調度は係数ＫＶで設定される。乗算器８６の垂直高域強調信号と水平エンハンサ８３の水平強調信号とは加算器８７で加算され，更にこの加算器８７の出力信号は、加算器８８で入力信号と加算されてエンファシス回路７６出力信号として出力端子８９に導かれる。
　
２．刊行物１発明 
　以上の刊行物１の記載からみて、刊行物１には、次の発明が記載されている。　
　
（２ａ）空間光変調素子を用いた表示装置
　上記刊行物１には「この発明は、テレビジョン受信装置などに用いられる表示装置に関するもので、特に空間光変調素子及び装置全体の価格低減に有効となる。」（【０００１】）と記載されているから、刊行物１に記載された発明は空間光変調素子を用いた表示装置に関する発明であるといえる。
　上記空間光変調素子は、【００１０】に「空間光変調素子３は多数の画素からなっている。例えば、横（水平）ｐ個、縦（垂直）ｑ個、合計ｐ×ｑ個の画素からなっており、各々の画素は別途供給される画像信号に応じて光を変調する。」とあるから、多数の画素からなっているといえる。
　そして【００４０】、【００４１】の記載を見ると、「表示空間周波数特性が高域で低下するために先鋭感が低下するという問題が発生する。そこで、斜め高域成分（水平・垂直ともに高域）を強調すると、折り返し成分の漏れ込み（エイリアシング）が増加する。」、「図１６の斜線部領域Ａの成分を強調した垂直エンハンスと斜線部領域Ｂの成分を強調した水平エンハンスとを組み合わせた特性をもつエンハンサ７６を使用している。これにより、斜め高域成分をローパスフィルタリングし、これを行っても、表示空間周波数特性上で高域が低下し先鋭感が低下するという問題を改善している。」とあるから、エンハンサ７６を使用して、先鋭感が低下するという問題を解決する構成を有する発明が記載されているといえる。
　以上まとめると、刊行物１には、多数の画素からなる空間光変調素子を用いた表示装置に関する発明であり、先鋭感が低下するという問題を解決する発明が記載されているといえる。
　
（２ｂ）入力信号の画素数と空間光変調素子の画素数
　刊行物１の【００２６】以下に記載された、「垂直方向に垂直フレーム画素の大きさ分Δ１、水平方向に水平フレーム画素の大きさ分Δ２の光軸シフトが起きるように光軸との法面に各々角度θ１、θ２で設置」した実施例について検討する。
　【００３３】には「入力端７１にインターレース信号が入力され、インターレース・プログレッシブ（ｉ→ｐ）変換器７３でプログレッシブ信号に変換され、プログレッシブ信号は、切り替えスイッチ７４の一方の端子に供給される。入力端７２にはプログレッシブ信号が入力され切り替えスイッチ７４の他の端子に供給される。切返スイッチ７４では、どちらかの信号が選択され、アンチエリアシングフィルタ７５に供給される。」との記載があり、上記記載によれば、結局アンチエリアシングフィルタに供給される信号をプログレッシブ信号として統一するために、インターレース信号が入力された場合はインターレース・プログレッシブ（ｉ→ｐ）変換器７３でプログレッシブ信号に変換して切り替えスイッチ７４に供給し、プログレッシブ信号が入力された場合は、そのまま切り替えスイッチ７４に供給し、切り替えスイッチ７４は、上記変換後のプログレッシブ信号または、そのまま（変換されない）のプログレッシブ信号をアンチエリアシングフィルタ７５に供給しているといえるから、アンチエリアシングフィルタ７５以下に供給される信号はプログレッシブ信号であるといえる。
　そして、プログレッシブ信号は、１フレームの画素数分だけ画素値を有する映像信号のことをいうから、１フレームの画素数分だけ画素値を有する映像信号が与えられているといえる。
　これに対して、空間光変調素子に与えられる信号は、【００３５】に「デシメーションフィルタ７７は水平方向の走査ライン内では１画素おきに間引きを行い、フィールド間では画素の間引き位置が１画素ずれるように間引きを行い、フレーム画素数を１／４の画素数にする。したがって、信号の画素サンプル構造を見ると、プログレッシブ信号であるうちはフレーム画素数ＰＮであったものがデシメーションフィルタ７７で処理されることによりフレーム画素数が１／４、つまりＰＮ／４に減じられ、この画素数の信号が空間光変調素子１３をドライブすることになる。」との記載があるから、空間光変調素子に与えられる信号は、フレーム画素数が１／４に減じられた信号、すなわち、画素数がフレーム画素数の１／４の信号であるといえる。
　したがって、刊行物１には、１フレームの画素数分だけ画素値を有する映像信号が与えられ、上記１フレームの画素数分だけ画素値を有する映像信号をデシメーションフィルタ７７で処理することにより、空間光変調素子には、画素数がフレーム画素数の１／４の映像信号が与えられる構成が開示されているといえる。
　
（２ｃ）エンハンサ７６
　図１３を参酌すると、プログレッシブ信号はスイッチ７４、アンチエイリアシングフィルタ７５を介してエンファシス回路７６に入力され、エンファシス回路７６の出力は、デシメーションフィルタ７７に向けて出力されている。
　上記エンファシス回路７６は発明の詳細な説明のエンハンサ７６と図番が同じであり、他にエンハンサ７６に対応する構成が記載されていないから、図のエンファシス回路７６が、発明の詳細な説明のエンハンサ７６と同じものであると認めることができる。（以下、エンファシス回路７６も併せて、エンハンサ７６という。）
　エンハンサ７６は、発明の詳細な説明【００４１】の記載によれば、「この発明では、図１６の斜線部領域Ａの成分を強調した垂直エンハンスと斜線部領域Ｂの成分を強調した水平エンハンスとを組み合わせた特性をもつエンハンサ７６を使用している。これにより、斜め高域成分をローパスフィルタリングし、これを行っても、表示空間周波数特性上で高域が低下し先鋭感が低下するという問題を改善している。」とあるから、先鋭感が低下するという問題を解決するための構成であるといえる。
　そして、【００４２】、【００４３】の記載を見ると、
「図１７にエンファシス回路７６の構成例を示す。入力端子８０を介してインターレース信号が垂直低域通過フィルタ（Ｖ−ＬＰＦ）８１に供給される。この垂直低域通過フィルタ８１の出力は垂直低域信号となる。垂直低域通過フィルタ８１の入力側の信号と、出力側の信号とは、差分器８３に入力され、ここで得られた差信号は、垂直高域信号となる。一方、垂直低域通過フィルタ８１から出力された垂直低域信号は水平エンハンサ８３で水平高域が強調される。強調度は係数ＫＨで設定される。
　差分器８３から出力された垂直高域信号は、水平低域通過フィルタ（Ｈ−ＬＰＦ）８５で水平方向の低域に帯域制限された後、乗算器８６で強調される。強調度は係数ＫＶで設定される。
乗算器８６の垂直高域強調信号と水平エンハンサ８３の水平強調信号とは加算器８７で加算され，更にこの加算器８７の出力信号は、加算器８８で入力信号と加算されてエンファシス回路７６出力信号として出力端子８９に導かれる。
とあるから、入力信号に対して、垂直高域強調信号と（水平エンハンサ８３の）水平強調信号とを加算して出力するものであるといえ、垂直高域強調信号は高域を強調した信号であり、（水平エンハンサ８３の）水平強調信号は「水平エンハンサ８３で水平高域が強調される。」とあるから、水平高域が強調された信号であるといえる。
　いずれにしてもエンハンサ７６は入力信号に対して高域を強調した信号を加算して出力しているのであるから、高域を強調するための回路であるといえ、刊行物１には、入力信号の高域を強調して出力するエンハンサ７６が記載されているといえる。
　以上まとめると、刊行物１には、先鋭感が低下するという問題を解決するために、入力信号の高域を強調して出力するエンハンサ７６が記載されている。
　
（２ｄ）デシメーションフィルタ
　【００３５】には、「デシメーションフィルタ７７は水平方向の走査ライン内では１画素おきに間引きを行い、フィールド間では画素の間引き位置が１画素ずれるように間引きを行い、フレーム画素数を１／４の画素数にする。したがって、信号の画素サンプル構造を見ると、プログレッシブ信号であるうちはフレーム画素数ＰＮであったものがデシメーションフィルタ７７で処理されることによりフレーム画素数が１／４、つまりＰＮ／４に減じられ、この画素数の信号が空間光変調素子１３をドライブすることになる。」と記載されている。
　図１１、図１３を参酌しながら、上記記載について検討する。
　図１３を見るとデシメーションフィルタに入力される前の画素の配列と、デシメーションフィルタから出力される画素の配列を比較すると、１行目では最初の画素を残し、一つおきに画素が間引かれるものと理解できる。
　２行目では、１行目で間引かれた位置と互い違いになるように一つおきに画素が間引かれている。
　３行目では、１行目と同じ列の画素が間引かれている。
　すなわち、奇数行は最初の画素を残し、そこから一つおきに画素が残るように画素を間引き、偶数行では、最初の画素を間引き、そこから一つおきに画素を間引く構成である。
　上記間引きにより間引かれた画素を、そのまま空間光変調素子に出力すると、最初の画素数と比較して１／２の画素数となるような間引きしか行われない。
　発明の詳細な説明には「デシメーションフィルタ７７で処理されることによりフレーム画素数が１／４、つまりＰＮ／４に減じられ、この画素数の信号が空間光変調素子１３をドライブすることになる。」と記載されているから、上記間引かれた画素を用いて、空間光変調素子の画素数を１／４とする構成について、さらに検討する。
　刊行物１に記載された発明は、「フレーム画素より大きな画素で構成される空間光変調素子に対して、その光学系制御手段としてフィールド毎にフレーム画素の大きさ分の光学的シフトを得る手段を組み合わせるようにし・・・垂直および水平に各々フレーム画素の大きさ分、光学的シフトを得る場合は、従来の装置と同じ表示性能を得る場合でも、従来の空間光変調素子と比較して空間光変調素子の画素数を１／４に削減できる。」（【０００５】−【０００７】）というものであるから、光学シフトを得る前のフィールドの画像（第１フィールドの画像という。）と光学シフトを得た後のフィールドの画像（第２フィールドの画像）とを与えることで画素数を削減できるものであって、特に垂直および水平に各々フレーム画素の大きさ分、光学的シフトを得る場合は、空間光変調素子の画素数を１／４に削減できるものであるといえる。
　そして、図１１を参酌すると、第１フィールドの画像は、図１３を参酌した、奇数行の画素の集合、第２フィールドの画像は同偶数行の画素の集合と同じ配列であることからみて、デシメーションフィルタで間引かれた画素の集合からなる画像のうち、奇数行の画素を取り出して得られる画像を第１フィールドの画像、同偶数行の画素を取り出して得られる画像を第２フィールドの画像とし、第１フィールドの画像を、まず空間光変調素子に与え、その後空間光変調素子を行方向、列方向にそれぞれ１画素ずつシフトした後、第２フィールドの画像を空間光変調素子に与える構成とすれば、元のフレーム画素数と比較して、空間光変調素子の画素数は１／４の数でよいことは明らかであり、明細書の他の記載とも矛盾はない。
　したがって、上記実施例では、デシメーションフィルタから出力された画素を、奇数行（第１フィールド）の画素の集合、偶数行（第２フィールド）の画素の集合と分けて、空間光変調素子に与える構成が開示されているといえる。
　
（２ｅ）スクリーン上での表示
　空間光変調素子から出力された光は、スクリーンに投射されることが前提であることは、図１および【００１１】の記載等から明らかであるが、
　そしてスクリーンに投射される画像は、【００２７】に
「空間光変調素子（画像変調器）１３の画素が正方形であれば、θ１＝θ２＝θであり、水平、垂直ともに同じ角度で斜めになるように平板プリズム１４が設置される。このとき、スクリーン１６上には、図１１に示すように、第１フィールドでは実線で示す画素で中心が黒丸位置、第２フィールドでは破線で示す画素で中心が黒三角位置となり表示される。水平−垂直平面において、黒丸、黒三角は、市松模様（クインカンクス）に配置される。また、垂直−時間（フィールド方向）平面においても、黒丸、黒三角は、市松模様（クインカンクス）に配置される。」
と記載されているから、第１フィールドの画像と第２フィールドの画像とがそれぞれ投射されることで、スクリーン上では、上記二つの画像が合成された画像が表示されることは明らかである。上記表示される画像は、第１フィールドの画像と第２フィールドの画像の合成であるから、その画素数は第１フィールドの画素数と、第２フィールドの画素数とを合わせたものであることは明らかであり、空間光変調素子では、各フィールド毎に空間光変調を行うのであるから、空間光変調素子の画素数は、第１フィールドの画素数、あるいは第２フィールドの画素数と同じであることは明らかであって、表示される画像の画素数は、空間光変調素子の画素数よりも多いことは明らかである。
　くわえて、「第１フィールドでは実線で示す画素で中心が黒丸位置、第２フィールドでは破線で示す画素で中心が黒三角位置となり表示される。」とあるから、第１フィールドの画像における画素は、図１１にある、実線で囲まれた部分を一つの画素とし、第２フィールドの画像における画素は、破線で囲まれた部分を一つの画素としているといえるところ、例えば、実線で囲まれた一つの画素は、上記画素を上下左右にそれぞれ２等分（合計４等分）したとき、上記実線で囲まれた画素を４等分したうちの左上の部分は、第２フィールドにおいて表示される画像の、上記実線で囲まれた画素の左上に配置される画素と重なっており、同右上の部分は、第２フィールドにおいて表示される画像の、上記実線で囲まれた画素の右上に配置される画素と重なっており、同左下の部分は、第２フィールドにおいて表示される画像の、上記実線で囲まれた画素の左下に配置される画素と重なっており、同右下の部分は、第２フィールドにおいて表示される画像の、上記実線で囲まれた画素の右下に配置される画素と重なっているように表示されることがみてとれる。したがって、第１フィールドの画素と第２フィールドの画素とは重なっているといえる。
　上記（２ｄ）で検討したとおり、第１フィールドの画像と第２フィールドの画像は、それぞれ、奇数行の画素、偶数行画素の集合である。
　以上まとめると、第１フィールドの画像（奇数行の画素の集合）と第２フィールドの画像（偶数行の画素の集合）とがそれぞれ投射されることで、スクリーン上では、上記二つの画像が合成された画像が表示され、表示される画像の画素数は空間光変調素子の画素数よりも多く、第１フィールドの画素と第２フィールドの画素とは重なっている構成が開示されているといえる。
　
（２ｆ）まとめ
　以上、（２ａ）ないし（２ｅ）の記載によれば、刊行物１には、以下の技術事項が記載されているといえる。
　
多数の画素からなる空間光変調素子を用いた表示装置に関する発明であり、先鋭感が低下するという問題を解決する発明であって、
１フレームの画素数分だけ画素値を有する映像信号が与えられ、上記１フレームの画素数分だけ画素値を有する映像信号をデシメーションフィルタ７７で処理することにより、空間光変調素子には、画素数がフレーム画素数の１／４の映像信号が与えられる構成、
先鋭感が低下するという問題を解決するために、入力信号の高域を強調して出力するエンハンサ７６、
デシメーションフィルタから出力された画素を、奇数行（第１フィールド）の画素の集合、偶数行（第２フィールド）の画素の集合と分けて、空間光変調素子に与える構成、
第１フィールドの画像（奇数行の画素の集合）と第２フィールドの画像（偶数行の画素の集合）とがそれぞれ投射されることで、スクリーン上では、上記二つの画像が合成された画像が表示され、表示される画像の画素数は空間光変調素子の画素数よりも多く、第１フィールドの画素と第２フィールドの画素とは重なっている構成、
　を有する表示装置に関する技術。
　
　上記表示装置に関する技術は、
多数の画素からなる空間光変調素子を用いた表示装置において、先鋭感が低下するという問題を解決するために、
「１フレームの画素数分だけ・・・画素数がフレーム画素数の１／４の映像信号が与えられる」段階　
「（エンハンサ７６が）先鋭感が低下するという問題を解決するために、入力信号の高域を強調して出力する」段階、
「デシメーションフィルタから出力された画素を、奇数行（第１フィールド）の画素の集合、偶数行（第２フィールド）の画素の集合と分けて、空間光変調素子に与える」段階、
「第１フィールドの画像・・・第１フィールドの画素と第２フィールドの画素とは重なっている」段階、
を有する（先鋭感が低下するという問題を解決するための）方法の発明であるといえるから、刊行物１には以下の発明（刊行物１発明という。）が記載されているといえる。
　
多数の画素からなる空間光変調素子を用いた表示装置において、先鋭感が低下するという問題を解決するための方法であって、
１フレームの画素数分だけ画素値を有する映像信号が与えられ、上記１フレームの画素数分だけ画素値を有する映像信号をデシメーションフィルタ７７で処理することにより、空間光変調素子には、画素数がフレーム画素数の１／４の映像信号が与えられる段階、
（エンハンサ７６が）先鋭感が低下するという問題を解決するために、入力信号の高域を強調して出力する段階、
デシメーションフィルタから出力された画素を、奇数行（第１フィールド）の画素の集合、偶数行（第２フィールド）の画素の集合と分けて、空間光変調素子に与える段階、
第１フィールドの画像（奇数行の画素の集合）と第２フィールドの画像（偶数行の画素の集合）とがそれぞれ投射されることで、スクリーン上では、上記二つの画像が合成された画像が表示され、表示される画像の画素数は空間光変調素子の画素数よりも多く、第１フィールドの画素と第２フィールドの画素とは重なっている段階、
を有する方法。
　
第４　対比
　本願発明と刊行物１発明とを対比する。　
　
（４ａ）「空間光変調（ＳＬＭ）要素を用いて、表示システムにより与えられる画像において歪みを低減する方法であって」
　刊行物１発明は「多数の画素からなる空間光変調素子を用いた表示装置において、先鋭感が低下するという問題を解決するための方法」である。
　刊行物１発明の空間光変調素子の画素は、空間光変調素子を構成し空間光変調を行う要素といえるから、本願発明の空間光変調（ＳＬＭ）要素と相違がない。
　刊行物１発明の「表示装置において、先鋭感が低下する」とは、発明の詳細な説明の【００３８】の記載によれば「図１１に示したような表示画素の配列が行われる場合、上記の間引きが行われているために、当該表示画素はフレーム画素に対して垂直、水平ともに２倍の大きさをもつ画素となり、図１４の実線に垂直特性を示すようにコサイン（ＣＯＳ）特性で高域が低下し鮮鋭感が劣化する。水平についても同様な先鋭感の劣化が生じる。」とあり、本来の画像から間引きを行うため、表示画素は水平垂直とも２倍の大きさとなり、表示画像は先鋭感が劣化することを指すといえる。
　すなわち、本来の画像と表示装置により表示される画像とを比較すると、先鋭感が劣化するという点で、画像が変化しているといえ、上記画像が変化することを、画像が歪んでいるということができるから、刊行物１発明は、表示装置により表示される画像が（本来の画像と比較して）歪んでしまう（先鋭感が劣化する）問題を解決する方法といえ、この点において、本願発明の「表示システムにより与えられる画像において歪みを低減する方法」と相違がない。
　以上まとめると、刊行物１発明は、空間光変調（ＳＬＭ）要素を用いて、表示システムにより与えられる画像において歪みを低減する方法である点で相違がない。
　
（４ｂ）「表示される画像の画素に対応する画素値の集合を与える段階であって、前記集合を構成する画素値の数は有効なＳＬＭ要素の数より多い、段階」
　刊行物１発明は「１フレームの画素数分だけ画素値を有する映像信号が与えられ、上記１フレームの画素数分だけ画素値を有する映像信号をデシメーションフィルタ７７で処理することにより、空間光変調素子には、画素数がフレーム画素数の１／４の映像信号が与えられる段階」を有している。
　上記刊行物１発明の「１フレームの画素数分だけ画素値を有する映像信号」の画素値は、アンチエイリアシングフィルタ、エンハンサ、デシメーションフィルタを介して、空間光変調素子に与えられて、スクリーン上に投影されて表示されるのであるから、表示される画像の画素値に対応している（表示される画像の画素値に対応する）といえ、上記画素値は１フレームの画素数分あるのであるから、上記１フレーム分の画素値は、画素値の集合といえる。
　そして、上記１フレーム分の画素値の数は、光変調素子に与えられるとき画素数がフレーム画素数の１／４の映像信号となるのであるから、空間光変調素子の画素数は上記フレーム画素数の１／４であることは明らかであり、刊行物１発明の空間光変調素子の画素は本願発明の空間光変調（ＳＬＭ）要素といえるのであるから、前記集合を構成する画素値の数は有効なＳＬＭ要素の数より多いといえる。
　したがって、刊行物１発明は、「表示される画像の画素に対応する画素値の集合を与える段階であって、前記集合を構成する画素値の数は有効なＳＬＭ要素の数より多い、段階」を有しているといえる。
　
（４ｃ）「調整画素値の集合を与えるように前記画素値の少なくとも一部を調整する段階、・・・前記調整する段階は、前記マトリクスにおいて重なり合う画素の輝度の強さの寄与を補償するように前記の画素値の集合の画素値を調整することにより実行される」
　刊行物１発明は「（エンハンサ７６が）先鋭感が低下するという問題を解決するために、入力信号の高域を強調して出力する段階」を有している。
　刊行物１発明において、エンハンサに入力される信号は画像信号であるから、画素値であることは明らかであり、上記画素値を、高域を強調するように変化（調整）して出力し、上記調整することにより出力された各画素値は、調整された画素値（調整画素値）といえるから、刊行物１発明の「入力信号の高域を強調して出力する段階」は、「調整画素値の集合を与えるように前記画素値の少なくとも一部を調整する段階」といえる。
　刊行物１発明の調整する段階は、入力信号の高域を強調して出力するのであるから、「前記の画素値の集合の画素値を調整することにより実行される」といえるが、刊行物１発明の上記調整は、「高域を強調する（ように）」調整しているのに対し、本願発明では、「前記マトリクスにおいて重なり合う画素の輝度の強さの寄与を補償するように」調整しているからこの点で相違する。
　ところで、本願発明の「前記マトリクスにおいて重なり合う画素の輝度の強さの寄与を補償するように」調整する構成が、刊行物１発明の「高域を強調する（ように）」調整する構成と、具体的にどのように違うのか明確にするため、以下でさらに検討する。
　
　まず、本願発明の「前記マトリクスにおいて重なり合う画素の輝度の強さの寄与を補償するように調整する」の具体的な構成について検討する。
　
　本願発明の詳細な説明には、以下のとおり記載されている。
　
　【００３７】
　本発明の実施形態にしたがって、重なり合いによりもたらされる画素強度の歪みは、図３、５及び７に示している画像改善フィルタ構成３２０により低減される。
　【００３８】
　図５は、本発明の実施形態にしたがった画素フィルタ３２０の実施形態を示している。画素フィルタ３２０は、次の図に示すアレイｈにしたがって、画素データ集合６２０のそれぞれの画素において動作する少なくとも１つの二次元フィルタを有し、
　　　　　　　　　　−α
　　　　　　　−α　β　−α
　　　　　　　　　　−α
ここで、βは、強度歪みが取り除かれるようになっている画素データ集合６２０の画素に関連する変倍率であり、αは、強度歪みが取り除かれるようになっている画素データ集合６２０の画素と重なり合う画素についての変倍率である。
　【００３９】
　特に、フィルタ３２０は、マトリクス４５０におけるそれぞれの画素と重なり合う画素の強度寄与を補償するには十分な量だけ、データ集合６２０のそれぞれの画素の強度値Ｉを調整する。例えば、図４においては、画素データ集合６２０の画素Ｇの強度（ＩＧ）は、表示マトリクス４５０における画素Ｂ（ＩＢ）、Ｆ（ＩＦ）、Ｌ（ＩＬ）お及びＨ（ＩＨ）と重なり合わせることによりもたらされる強度歪みが低減されるように、ある量（β）だけスケーリングされる。本発明の実施形態においては、次に示す関係にしたがった調整された画素Ｇ′は強度値ＩＧ′を有する。
　【００４０】
　　　ＩＧ′＝β（ＩＧ）−α（ＩＨ＋ＩＬ＋ＩＢ＋ＩＦ）　　　（１）
ここで、βは、強度歪みが取り除かれるようになっている画素Ｇに関連する変倍率であり、αは、強度歪みが取り除かれるようになっている重なり合う画素に関連する変倍率である。
　【００４１】
　本発明の実施形態にしたがって、βとαとの間の関係は、β＝１＋４αで与えられる。この関係はＤＣ利得１を与える。しかしながら、本発明はこれに限定されるものではない。本発明の一実施形態においては、αは約＋１／８であり、βは約３／２である。それらの例示としての変倍率を選択することにより、本発明の一部の実施形態において、ＤＣ利得１を与える一方、歪みを補償することが認識された。
　
　すなわち、本願発明の「前記マトリクスにおいて重なり合う画素の輝度の強さの寄与を補償するように調整する」の具体的な構成は、上記【００３８】ないし【００４１】に記載されるような二次元フィルタを含むものであるといえるところ、上記記載の二次元フィルタは、画像処理の技術分野において、ラプラシアンフィルタと称するフィルタであって、画像を先鋭化するフィルタであることは、当たり前に知られたことである。
（例えば、上記刊行物３：特開２００１−０７５５４７号公報等）
　したがって、本願発明の「前記マトリクスにおいて重なり合う画素の輝度の強さの寄与を補償するように調整する」の具体的な構成は、画像を先鋭化するフィルタを含む構成であって、画像を先鋭化するフィルタとは、高域を強調するフィルタという点で刊行物１発明の「入力信号の高域を強調して出力する段階」と共通である。
　してみると、結局本願発明と刊行物１発明では、「入力信号の高域を強調して出力する段階」でも共通であるといえるが、上記「入力信号の高域を強調」する具体的な構成が、本願発明では、「前記マトリクスにおいて重なり合う画素の輝度の強さの寄与を補償するように調整する」構成であるのに対し、刊行物１発明では、そのような特定がされていない点で相違するといえるものである。
　
　以上まとめると、刊行物１発明は「調整画素値の集合を与えるように前記画素値の少なくとも一部を調整する段階、・・・前記調整する段階は、高域を強調するように前記の画素値の集合の画素値を調整することにより実行される」点で本願発明と一致しているといえる。
　もっとも、上記「高域を強調するように・・・調整」する具体的な構成が、本願発明では「前記マトリクスにおいて重なり合う画素の輝度の強さの寄与を補償するよう」に調整する構成であるのに対し、刊行物１発明では、そのような特定がなされていない点で相違するといえる。
　
（４ｄ）「前記の調整画素値の集合から少なくとも第１画素集合及び第２画素集合を生成する段階」
　刊行物１発明は「デシメーションフィルタから出力された画素を、奇数行（第１フィールド）の画素の集合、偶数行（第２フィールド）の画素の集合と分けて、空間光変調素子に与える段階」を有している。
　刊行物１発明のデシメーションフィルタは、図１３からも明らかなように、エンハンサからの出力を入力しており、エンハンサからの出力が、調整画素値に相当することは、上記（４ｃ）で検討したとおりである。
　そして、刊行物１発明で「奇数行（第１フィールド）の画素の集合、偶数行（第２フィールド）の画素の集合と分けて、空間光変調素子に与える」ためには、奇数行の画素の集合、偶数行の画素の集合とを生成する必要があることは明らかであって、上記奇数行の画素の集合、偶数行の画素の集合は、それぞれ、第１画素集合及び第２画素集合と称してもよいといえるから、刊行物１発明は、デシメーションフィルタから出力された画素から、第１画素集合及び第２画素集合を生成しているといえる。
　以上まとめると、刊行物１発明は「前記の調整画素値の集合から少なくとも第１画素集合及び第２画素集合を生成する段階」を有しているといえる。
　
（４ｅ）「前記第１画素集合及び前記第２画素集合を有する画素のマトリクスとして前記画像を表示する段階であって、前記マトリクスの画素の数は前記ＳＬＭ要素の数より多く、そして前記第１画素集合の画素の少なくとも１つは前記第２画素集合の画素の少なくとも１つと重なり合う、段階」
　刊行物１発明は「第１フィールドの画像（奇数行の画素の集合）と第２フィールドの画像（偶数行の画素の集合）とがそれぞれ投射されることで、スクリーン上では、上記二つの画像が合成された画像が表示され、表示される画像の画素数は空間光変調素子の画素数よりも多く、第１フィールドの画素と第２フィールドの画素とは重なっている段階」を有している。
　刊行物１発明の「奇数行の画素の集合」、「偶数行の画素の集合」は、それぞれ、本願発明の「第１画素集合」、「第２画素集合」といえることは、上記（４ｄ）で検討したとおりであり、刊行物１発明では、上記画素の集合は、各画素を縦、横方向に並べることで画像を表示していることは明らかであるから、画素のマトリクスとして画像を表示しているといえる。
　したがって、刊行物１発明の上記画素を表示することは「前記第１画素集合及び前記第２画素集合を有する画素のマトリクスとして前記画像を表示する段階」といえる。
　そして、画像を表示する画素のマトリクスの画素の数は、「表示される画像の画素数は空間光変調素子の画素数よりも多く」であり、刊行物１発明の「空間光変調素子の画素数」が、本願発明の「ＳＬＭ要素の数」に相当することは、上記（４ｂ）で検討したとおりであるから、刊行物１発明では「前記マトリクスの画素の数は前記ＳＬＭ要素の数より多」いといえる。
　さらに、刊行物１発明では「第１フィールドの画素と第２フィールドの画素とは重なっている」のであり、上記「第１フィールドの画素」、「第２フィールドの画素」は、それぞれ、本願発明の「第１画素集合の画素」、「第２画素集合の画素」と対応することは、先に検討したとおりである。
　以上まとめると、刊行物１発明は「前記第１画素集合及び前記第２画素集合を有する画素のマトリクスとして前記画像を表示する段階であって、前記マトリクスの画素の数は前記ＳＬＭ要素の数より多く、そして前記第１画素集合の画素の少なくとも１つは前記第２画素集合の画素の少なくとも１つと重なり合う、段階」を有しているといえる。
　
（４ｆ）まとめ（一致点、相違点）
　以上まとめると、本願発明と刊行物１発明とは以下の一致点で一致し相違点で相違する。
　
（一致点）
　空間光変調（ＳＬＭ）要素を用いて、表示システムにより与えられる画像において歪みを低減する方法であって、
　表示される画像の画素に対応する画素値の集合を与える段階であって、前記集合を構成する画素値の数は有効なＳＬＭ要素の数より多い、段階、
　調整画素値の集合を与えるように前記画素値の少なくとも一部を調整する段階、
　前記の調整画素値の集合から少なくとも第１画素集合及び第２画素集合を生成する段階、並びに
　前記第１画素集合及び前記第２画素集合を有する画素のマトリクスとして前記画像を表示する段階であって、前記マトリクスの画素の数は前記ＳＬＭ要素の数より多く、そして前記第１画素集合の画素の少なくとも１つは前記第２画素集合の画素の少なくとも１つと重なり合う、段階、
　を有する方法であり、
　前記調整する段階は、高域を強調するように前記の画素値の集合の画素値を調整することにより実行される、
　方法。
　
（相違点）
　「高域を強調するように・・・調整」する具体的な構成が、本願発明では「前記マトリクスにおいて重なり合う画素の輝度の強さの寄与を補償するよう」に調整する構成であるのに対し、刊行物１発明では、そのような特定がなされていない点。
  　
第５　判断 
　上記相違点について検討する。
　
　刊行物１発明において、「入力信号の高域を強調して出力する段階」を有する目的は、刊行物１の記載を見ると【００３８】、【００３９】に
「【００３８】図１１に示したような表示画素の配列が行われる場合、上記の間引きが行われているために、当該表示画素はフレーム画素に対して垂直、水平ともに２倍の大きさをもつ画素となり、図１４の実線に垂直特性を示すようにコサイン（ＣＯＳ）特性で高域が低下し鮮鋭感が劣化する。水平についても同様な先鋭感の劣化が生じる。水平−垂直空間周波数領域で表現すれば、図１５のようになる。すなわち、間引きが行われた結果、図１１の表示画素の大きさは、フレーム画素に対して縦横ともに２倍の大きさをもつために、斜め高域成分を抑圧する空間ローパスフィルタリングされていることになる。図１１は、縦横ともに２倍の例であるが、２倍に満たなくてもフレーム画素よりも大きく表示画素を設定することで特性は変わるものの同様な空間ローパスフィルタとして動作する。
【００３９】図１のような投射型ではスクリーン１６上での画素の大きさが問題になるので、投射レンズ１５によるフォーカス特性も含めて考慮する必要がある。すなわち、表示画素の大きさがフレームで定義される画素寸法よりも大きいことが空間ローパスフィルタリングされる条件である。」　
と記載されている。
　上記記載において、フレーム画素とは、あるフレームの画像を表示するための画素といえ、あるフレームの画像を表示するための画素は、各画素が重ならないように隙間無く配置されることで画像が表示されることは本願出願前周知のことであり、したがって、フレーム画素は互いに重ならずかつ、なるべく隙間がないように配置されることが、本願出願前周知のことであるといえる。
　そして、上記刊行物１の記載によれば、空間ローパスフィルタリングされる条件は、「表示画素の大きさがフレームで定義される画素寸法よりも大きい」ことであるとされることからみて、表示画素の大きさがフレームで定義される画素寸法よりも大きく、上記フレーム画素よりも大きい表示画素をフレームに配置すれば、重なることも予測されるといえ、実際刊行物１発明では、第１フィールドの画素と第２フィールドの画素とが重なっている（マトリクスにおいて画素が重なりあう）構成であることは、上記（４ｄ）で検討したとおりであって、画素が重なり合えば、重なった部分において先鋭度が低下することは当業者には周知の技術事項であるから、上記表示画素が重なることにより先鋭感が低下する課題も解消しようと、刊行物１発明に記載されたエンファシス回路が高域を強調するように調整するとき、「前記マトリクスにおいて重なり合う画素の輝度の強さの寄与を補償するよう」に調整する構成とすることは、当業者が容易になしえたことであるといえる。
　
第６　効果
　以上のように、上記相違点は当業者が容易に想到し得たものと認められ、本願発明全体としてみても格別のものはなく、その作用効果も、上記構成の採用に伴って当然に予測される程度のものにすぎず、格別顕著なものがあるとは認められない。
　
第７　むすび 
　以上、本件出願の請求項１に係る発明は、刊行物１に記載された発明に基づいて、当業者が容易に発明をすることができたものであるから、特許法第２９条第２項の規定により特許を受けることができない。 
　したがって、残る請求項２ないし請求項１２に係る発明について検討するまでもなく、本件出願は拒絶をすべきものである。 
　よって、結論のとおり審決する。